(57)【要約】【課題】  組立式キャビネット家具の提供。【解決手段】  組立式金属フレームがキャビネットのボーンフレームとされ、それに側板、背板、引出し、ドア板が組み合わされてなる組立、分解が容易な組立式キャビネット家具であり、金属フレームが金属支柱と棚板フレームからなり、無限の横向き、縦向きの拡張性を具え、側板、背板が該金属フレームの両側と背面を閉じ、別に金属フレームの前方にドア板、引出しが組み付けられて、閉じた空間を具え、無限に横向き連結可能とされている。【選択図】        図２
2005144037.tif 000002
【特許請求の範囲】
【請求項１】
金属支柱と棚板からなる金属フレームに、壁板、引出し、ドア板が組み合わされてなる組立式キャビネット家具であり、該金属フレームが複数の金属支柱と複数の棚板、及び複数の金属支柱と複数の棚板間を連結する連結機構で構成されてキャビネットのボーンフレームとされ、該連結機構が各棚板の四隅を対応する金属支柱に架設して金属フレームを形成し、該壁板が側板と背板を含み、該側板が金属フレームの両側に取り付けられ、該背板が該金属フレームの背面に取り付けられ、別に、金属フレームの正面にドア板、引出しが取り付けられて閉じた空間を具えたキャビネットを形成することを特徴とする、組立式キャビネット家具。
【請求項２】
請求項１記載の組立式キャビネット家具において、連結機構が金属支柱に係止される部分と、棚板を係止する部分を具えて金属支柱と棚板を連結することを特徴とする、組立式キャビネット家具。
【請求項３】
請求項２記載の組立式キャビネット家具において、棚板の上面が板面状とされたことを特徴とする、組立式キャビネット家具。
【請求項４】
請求項１記載の組立式キャビネット家具において、側板が金属フレームの同側の二つの金属支柱の間に組み付けられ、該側板が板と横棒を具え、該横棒の両端にピンが設けられ、該板の両端にもピンが設けられ、該ピンが金属支柱に係止されたフックに係止されることで側板が金属フレームに取り付けられることを特徴とする、組立式キャビネット家具。
【請求項５】
請求項１記載の組立式キャビネット家具において、背板が金属フレームの後側の二つの金属支柱の間に組み付けられ、該背板の内側面の、金属フレームに係止されたフックに対応する部分に平頭凸ピンが固定され、対応するフックと平頭凸ピンの組合せにより、背板が金属フレームに取り付けられることを特徴とする、組立式キャビネット家具。
【請求項６】
請求項１記載の組立式キャビネット家具において、ドア板に設けられるヒンジが、金属支柱に係止される係止座と、係止座と金属支柱の間に設置されるパッキングを具えたことを特徴とする、組立式キャビネット家具。
【請求項７】
請求項１記載の組立式キャビネット家具において、金属フレームにあって引出しのスライドに供されるレールの両端に、金属支柱に設けられた係止孔に係止されるフック部が設けられたことを特徴とする、組立式キャビネット家具。
【請求項８】
請求項１記載の組立式キャビネット家具において、金属フレームの下端にフットボードが取り付けられたことを特徴とする、組立式キャビネット家具。
【請求項９】
請求項８記載の組立式キャビネット家具において、金属フレームの各金属支柱の下端の対向面に上下二つの凸ピンが固定され、各フットボードの両端にＣ形留め具が固定され、該Ｃ形留め具の両端の該上下二つの凸ピンに対する挟持固定により、各フットボードが金属フレームの下端に固定されたことを特徴とする、組立式キャビネット家具。
【発明の詳細な説明】
【技術分野】
【０００１】
本発明は一種の組立式キャビネット家具に係り、特に木製キャビネット用の部品と金属フレームを結合した組立式キャビネットであり、金属フレームの無限の横向きの拡張性を利用し、また、木製キャビネット用の引出し、ドア板、側板を随意に組み合わせることができ、高級感を具備するようにした家具に関する。
【背景技術】
【０００２】
一般に家具は、その材料により、木製家具と金属製組立式家具の二種類に分けられる。木製家具は通常、金属製組立式棚よりも高級な外観を有する。人々が家具を質感で選ぶ時、ほとんどは木製家具が選ばれる。金属製組立式棚では達成できない木製家具の特徴として、木製家具が閉じた空間を形成して灰塵の進入を防止し、物品に良好な保障を提供することが挙げられる。ゆえに、現在キャビネット式家具はいずれも木材で製造されている。
【０００３】
金属製組立式棚は金属パイプを支柱とし、金属の網棚を棚板としている。このような金属製組立式棚の構造は、工具を使用せずに組立、分解が行なえるため、消費者が簡単に棚を組み立てることができる。また金属製組立式棚は無限に横向きに拡張して必要な造形及び寸法の棚を形成することができ、空間利用上、明らかに便利である。このような金属製組立式棚の棚はいずれも開放された空間であり、防塵機能を具備せず、且つ放置した物品が乱雑となり見苦しくなる状況を発生しやすい。このため金属製組立式棚は高級感を具備しにくい。ゆえに、金属製組立式棚はキャビネット機能を有する家具を構成できない。
【発明の開示】
【発明が解決しようとする課題】
【０００４】
本発明は、一種の組立式キャビネット家具を提供することを課題とし、それは、木製家具の部品と金属フレームを結合させた組立式キャビネット家具であり、金属フレームの無限の横向きの拡張性と、木製家具の高級感を具え、且つ多変化組合せが可能な組立式キャビネット家具であるものとする。
【０００５】
本発明はまた一種の組立式キャビネット家具を提供することを課題とし、それは金属支柱と棚板で金属フレームが組み立てられ、壁板、引出し、ドア板が組み合わされてなり、該壁板が側板と背板を具え、該側板が金属フレームの両側に組み合わされて、左右側板を形成し、該背板が金属フレームの背面に組み合わされ、さらにドア板、引出し等が組み合わされて閉じた空間を具えるよう形成された組立式キャビネット家具であるものとする。
【０００６】
本発明はさらにまた一種の組立式キャビネット家具を提供することを課題とし、それは金属フレームが複数の支柱と棚板が組み合わされてなり、キャビネットのボーンフレームとされ、該棚板の上面に平板式の面板が固定されて、内部空間を確実に上下の二つの部分に分けるものとする。
【０００７】
本発明はまた一種の組立式キャビネット家具を提供することを課題とし、それは、ドア板、引出しの位置を随意に改変でき、組立後の外観造形に多様な変化性を具備させることができるものとする。
【０００８】
本発明はさらに一種の組立式キャビネット家具を提供することを課題とし、それは、部品が係止方式で組み立てられ、且つ分解、組立が容易で、消費者が使用に適合するキャビネットを自分で組み立てることができる組立式キャビネット家具であるものとする。
【課題を解決するための手段】
【０００９】
請求項１の発明は、金属支柱と棚板からなる金属フレームに、壁板、引出し、ドア板が組み合わされてなる組立式キャビネット家具であり、該金属フレームが複数の金属支柱と複数の棚板、及び複数の金属支柱と複数の棚板間を連結する連結機構で構成されてキャビネットのボーンフレームとされ、該連結機構が各棚板の四隅を対応する金属支柱に架設して金属フレームを形成し、該壁板が側板と背板を含み、該側板が金属フレームの両側に取り付けられ、該背板が該金属フレームの背面に取り付けられ、別に、金属フレームの正面にドア板、引出しが取り付けられて閉じた空間を具えたキャビネットを形成することを特徴とする、組立式キャビネット家具としている。
請求項２の発明は、請求項１記載の組立式キャビネット家具において、連結機構が金属支柱に係止される部分と、棚板を係止する部分を具えて金属支柱と棚板を連結することを特徴とする、組立式キャビネット家具としている。
請求項３の発明は、請求項２記載の組立式キャビネット家具において、棚板の上面が板面状とされたことを特徴とする、組立式キャビネット家具としている。
請求項４の発明は、請求項１記載の組立式キャビネット家具において、側板が金属フレームの同側の二つの金属支柱の間に組み付けられ、該側板が板と横棒を具え、該横棒の両端にピンが設けられ、該板の両端にもピンが設けられ、該ピンが金属支柱に係止されたフックに係止されることで側板が金属フレームに取り付けられることを特徴とする、組立式キャビネット家具としている。
請求項５の発明は、請求項１記載の組立式キャビネット家具において、背板が金属フレームの後側の二つの金属支柱の間に組み付けられ、該背板の内側面の、金属フレームに係止されたフックに対応する部分に平頭凸ピンが固定され、対応するフックと平頭凸ピンの組合せにより、背板が金属フレームに取り付けられることを特徴とする、組立式キャビネット家具としている。
請求項６の発明は、請求項１記載の組立式キャビネット家具において、ドア板に設けられるヒンジが、金属支柱に係止される係止座と、係止座と金属支柱の間に設置されるパッキングを具えたことを特徴とする、組立式キャビネット家具としている。
請求項７の発明は、請求項１記載の組立式キャビネット家具において、金属フレームにあって引出しのスライドに供されるレールの両端に、金属支柱に設けられた係止孔に係止されるフック部が設けられたことを特徴とする、組立式キャビネット家具としている。
請求項８の発明は、請求項１記載の組立式キャビネット家具において、金属フレームの下端にフットボードが取り付けられたことを特徴とする、組立式キャビネット家具としている。
請求項９の発明は、請求項８記載の組立式キャビネット家具において、金属フレームの各金属支柱の下端の対向面に上下二つの凸ピンが固定され、各フットボードの両端にＣ形留め具が固定され、該Ｃ形留め具の両端の該上下二つの凸ピンに対する挟持固定により、各フットボードが金属フレームの下端に固定されたことを特徴とする、組立式キャビネット家具としている。
【発明の効果】
【００１０】
上述の組立式キャビネット家具は、無限に横向き、縦向きに延伸できる機能を具備している。且つ使用者は一つの大きなキャビネットを二つの小キャビネットに分けることも、二つの小キャビネットを併合して一つの大キャビネットとすることもでき、使用形態を空間の原状に合わせて変更できる。即ち、使用者が引っ越ししたりキャビネット設置位置を改変しなければならない時、設置空間の大きさや形態に応じてキャビネットを組み立てることができる。ゆえに本発明の組立式キャビネット家具は使用上、弾性と多様性を具備し、使用上、理想的で便利である。
【発明を実施するための最良の形態】
【００１１】
図１、２に示されるように、本発明の組立式キャビネット家具は、金属支柱１１と棚板１２からなる金属フレーム１０、及び壁板、引出し４０、ドア板５０を具えている。該壁板は側板２０と背板３０を含む。該側板２０は金属フレーム１０の両側に組み付けられ、左右の側板２０を形成する。該背板３０は金属フレーム１０の背面に組み付けられる。さらに金属フレーム１０の前端にドア板５０が組み付けられ、複数の引出し４０が組み合わされて、閉じた空間を具えた組立式キャビネット家具が形成される。
【００１２】
図３から図５に示されるように、上述の金属フレーム１０は、複数の金属支柱１１、複数の棚板１２、及び金属支柱１１と棚板１２の間を連結する連結機構１３を具えている。該連結機構１３は棚板１２の一端の角を対応する金属支柱１１に組み合わせる。該連結機構１３は金属支柱１１に係止される部分と、棚板１２に係止される部分とを具え、金属支柱１１と棚板１２間を連結する作用を発生する。
【００１３】
該連結機構１３はフック１４及び該フック１４に形成されるブロック１５を具えている。該金属支柱１１の両側には連結機構１３中のフック１４の係止、位置決めに供される一列の係止孔１１１が設けられている。該フック１４には金属支柱１１の係止孔１１１内に進入する二つの係止部１４１、１４２が設けられ、外部に露出した部分に別に棚板１２に係止される係止部１４３が設けられている。ブロック１５の一面は金属支柱１１に当接可能で、反対の一面が上から下に徐々に拡張する斜面１５１とされている。該ブロック１５に該フック１４の係止部１４１、１４２を通過させる二つの溝１５２、１５３が設けられて、該フック１４に掛けられる。該棚板１２の角部には嵌合手段１６が設けられ、該嵌合手段１６は外側と下方がいずれも開口状とされ、その内部に掛け部１６１が設置され、該掛け部１６１と該ブロック１５の斜面１５１の当接する部分が斜面１６２とされている。該掛け部１６１はフック１４の係止部１４３に対する係止作用を形成し、これは図５に示されるとおりであり、該嵌合手段１６、フック１４、ブロック１５、金属支柱１１間に連結作用を発生させる。棚板１２の四つの角の嵌合手段１６がいずれも対応するフック１４、ブロック１５、金属支柱１１と上述の結合状態を形成する時、該棚板１２が各金属支柱１１の間に組み付けられると共に、金属フレーム１０の構造が形成される。
【００１４】
上述の棚板１２は、金属框体１２１及び金属框体１２１の上に固定される板を具え、該板は木板で製造されるのが好ましい。該棚板１２はキャビネットのボーンフレームを形成する作用のほか、内部空間を上下の二つの部分に分ける機能を具えている。
【００１５】
図６及び図７に示されるように、上述の側板２０は板２１と押し棒２２、２３を具えている。もしキャビネットの高さが比較的高ければ、側板２０は上板と下板２１及び上下の横棒２２、２３を具える。そのうち下方の横棒２３は上下の板２１の間に設置される。該側板２０は金属フレーム１０の同側の二つの金属支柱１１の間に組み付けられ、その組み付け方式は係止方式が最も好ましい。そのうち、上方の横棒２２の下端面に上の板２１の上端が嵌め込まれる溝２２１が設けられ、下方の横棒２３の上下の端面に上方の板２１の下端と下方の板２１の上端が嵌め込まれる溝２３１が設けられている（下方の溝は図示せず）。この同側の二つの金属支柱１１の対向面に、フック２４を係止するための複数の係止孔１１２が設けられ、下方の横棒２３の両端に該フック２４に係止されるピン２３２が設けられ、上方と下方の板２１の両端にもフック２４に係止されるピン２１１が設けられている。対応するフック２４とピン２３２、２１１の組合せにより、側板２０が金属フレーム１０に取り付けられる。そのうち、側板２０が金属フレーム１０内部に組み付けられる時、金属フレーム１０は左右の空間に分けられる。
【００１６】
図８、９に示されるように、上述の背板３０は、金属フレーム１０の後側の二つの金属支柱１１の間に組み付けられ、その組み付け方式は係止方式が最も好ましい。例えばこの後側の二つの金属支柱１１の対向面に、フック３１を係止するための複数の係止孔１１３が設けられ、該背板３０の内側面にこれに対応して平頭凸ピン３２が設置される。対応するフック３１と平頭凸ピン３２の組合せにより、背板３０が金属フレーム１０に組み付けられる。
【００１７】
図１０、１１に示されるように、前述のドア板５０に使用されるヒンジ６０は、係止方式で金属支柱１１に組み付けられる。これによりヒンジ６０にネジの脱落の現象が発生せず、その耐用性が高められる。ヒンジ６０は、ドア板５０に固定される固定手段６１、金属支柱１１に係止される係止座６２、係止座６２に接続される調整手段６３、及び調整手段６３と固定手段６１の間に取り付けられる回転手段６４、バネ部品６５を具えている。そのうち、係止座６２の内側に上下二つのフック６２１があり、その中央に隆起部６２２が形成され、該隆起部６２２の一端が該調整手段６３の一端に枢設され、該隆起部６２２の別端に凹口６２３が設けられている。該係止座６２は二つのフック６２１により係止孔１１１を具えた金属支柱１１に係止され、別に係止座６２と金属支柱１１の間にパッキング６６が置かれ、並びに該係止座６２にねじ込まれたネジ釘６２４により該パッキング６６が圧迫される方式により、該係止座６２のフック６２１が緊密に金属支柱１１に係止されて、ドア板５０を固定する。ドア板５０により形成される閉じた空間内は隔板５１で複数層に区画することが可能である。図１２、１３に示されるように、該隔板５１は金属支柱１１に係止される四つの載置手段５２により載置される。該載置手段５２の一端は金属支柱１１の係止孔５２１に係止されるフック５２１とされ、もう一端は隔板５１を載置する載置部５２２とされる。
【００１８】
図１４に示されるように、引出し４０に使用されるレール４１は、係止方式で金属支柱１１に取り付けられるのが好ましい。該レール４１の両端に金属支柱１１の係止孔内に係止されるフック部４２が設けられ、これによりレール４１が随意に任意の高度に設置可能とされる。引出し４０は該レール４１に沿って金属フレーム１０内に導入される。該フック部４２は上係止部４２１と下係止部４２２を具え、それぞれ金属支柱１１の二つの係止孔１１１内に係止される。レール４１のぐらつきを防止するため、レール４１のフック部４２に凸点４２３が凸設され、図１５に示されるように、レール４１が係止される時、該凸点４２３が下係止部４２２の挿入された係止孔１１１内に嵌め込まれて係止孔１１１の上縁に当接する。
【００１９】
以上のドア板５０、棚板１２、側板２０、背板３０で包囲された空間が、閉じた収容空間を形成する。該引出し４０とその上方の棚板１２或いは上方の引出し４０で包囲された空間も、また閉じた収容空間を形成する。引出し４０、ドア板５０、棚板１２の位置は使用者の要求に合わせて随意に改変できる。
【００２０】
該金属フレーム１０の下端にはフットボード１７を固定可能である。図１６に示されるように、各金属支柱１１の対向面に上下の二つの凸ピン１８が固定され、各フットボード１７の両端にＣ形留め具１７１が固定され、該Ｃ形留め具１７１の両端の上下二つの凸ピン１８に対する挟持固定作用により、各フットボード１７が該金属フレーム１０の下端に固定される。
【図面の簡単な説明】
【００２１】
【図１】本発明の実施例の斜視図である。
【図２】図１の実施例の分解斜視図である。
【図３】本発明中、連結機構の分解図である。
【図４】本発明中、棚板と金属支柱の組合せ動作図である。
【図５】本発明中、棚板と金属支柱の組合せ後の断面図である。
【図６】本発明中、側板と金属支柱の分解図である。
【図７】図６の局部拡大図である。
【図８】本発明中、背板と金属支柱の分解図である。
【図９】図８の局部拡大図である。
【図１０】本発明中、ドア板を金属支柱に組み付けた状態表示図である。
【図１１】図１０中のヒンジの分解図である。
【図１２】本発明中、隔板の構造表示図である。
【図１３】本発明中、載置手段の斜視図である。
【図１４】本発明中、引出しと金属フレームの組合せ図である。
【図１５】本発明中、引出しと金属支柱の組合せ断面図である。
【図１６】本発明中、フットボードの取り付け表示図である。
【符号の説明】
【００２２】
１０  金属フレーム                    １１  金属支柱
１１１  係止孔                        １１２  係止孔
１１３  係止孔                        １２  棚板
１２１  金属框体                      １３  連結機構
１４  フック                          １４１  係止部
１４２  係止部                        １４３  係止部
１５  ブロック                        １５１  斜面
１５２  溝                            １５３  溝
１６  嵌合手段                        １６１  掛け部
１６２  斜面                          １７  フットボード
１７１  Ｃ形留め具                    １８  凸ピン
２０  側板                            ２１  板
２１１  ピン                          ２２  横棒
２２１  溝                            ２３  横棒
２３１  溝                            ２３２  ピン
２４  フック
３０  背板                            ３１  フック
３２  平頭凸ピン
４０  引出し                          ４１  レール
４２  フック部                        ４２１  フック
４２２  フック                        ４２３  凸点
５０  ドア板                          ５１  隔板
５２  載置手段                        ５２１  フック
５２２  載置部
６０  ヒンジ                          ６１  固定手段
６２  係止座                          ６２１  フック
６２２  隆起部                        ６２３  凹口
６２４  ネジ釘                        ６３  調整手段
６４  回転手段                        ６５  バネ部品
６６  パッキング
【図１】
2005144037.tif 000003
【図２】
2005144037.tif 000004
【図３】
2005144037.tif 000005
【図４】
2005144037.tif 000006
【図５】
2005144037.tif 000007
【図６】
2005144037.tif 000008
【図７】
2005144037.tif 000009
【図８】
2005144037.tif 000010
【図９】
2005144037.tif 000011
【図１０】
2005144037.tif 000012
【図１１】
2005144037.tif 000013
【図１２】
2005144037.tif 000014
【図１３】
2005144037.tif 000015
【図１４】
2005144037.tif 000016
【図１５】
2005144037.tif 000017
【図１６】
2005144037.tif 000018